【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
電子的にリフレッシュ可能な表示スクリーンと一緒にオブジェクトの位置決定を介してユーザ対話を行なうための装置であって：
前記オブジェクトの位置を検出するために前記電子的にリフレッシュ可能な表示スクリーンに配置されたセンサであって、出力を有するセンサの透明な配列と、
前記出力に関連付けられる差信号であって、前記出力の少なくとも二つの間の差を表わす差信号を生成するための増幅器の配列と、
を備え、前記信号を前記対話で使用するように作動可能な装置。
【請求項２】
前記増幅器が差動増幅器である請求項１の装置。
【請求項３】
差動増幅器の前記配列が、各々第一差動入力および第二差動入力を有する複数の差動増幅器を含み、前記第一差動入力が第一センサの出力に接続され、前記第二差動入力が、第一センサと第二センサとの距離が前記オブジェクトにより送信される信号の有効範囲より大きいように、第二センサの出力に接続される請求項２の装置。
【請求項４】
前記第二センサと前記第一センサとの距離が前記オブジェクトにより送信される信号の有効範囲よりわずかに大きい請求項３の装置。
【請求項５】
前記差動増幅器の前記二つの入力のいずれが前記信号のソースであるのかを、いくつかの隣接する差動増幅器において検出された信号に基づいて、決定するようにさらに構成された請求項３又は４の装置。
【請求項６】
前記センサの信号の位相を検出し、それによって異なるセンサからの信号を区別するようにさらに構成される請求項３ないし５のいずれかの装置。
【請求項７】
センサの前記配列が電界を検出するように構成する請求項１ないし６のいずれかの装置。
【請求項８】
前記電子的にリフレッシュ可能な表示装置が平面型表示装置を備える請求項１ないし７のいずれかの装置。
【請求項９】
オブジェクトが、ポインティング装置、スタイラスまたはゲーミング部品の少なくとも一つである請求項１ないし８のいずれかの装置。
【請求項１０】
透明なセンサの配列が少なくとも一つの有機導電箔を含む請求項１ないし９のいずれかの装置。
【請求項１１】
透明なセンサの配列が少なくとも一つのＩＴＯ箔を含む請求項１ないし１０のいずれかの装置。
【請求項１２】
前記センサの配列のセンサと前記増幅器配列との間に接続された少なくとも一つの高域通過増幅器をさらに含む請求項１ないし１１のいずれかの装置。
【請求項１３】
前記透明なセンサの配列が格子状の直線導体を含む請求項１ないし１２のいずれかの装置。
【請求項１４】
前記オブジェクトが受動オブジェクトであり、デジタイザが、前記オブジェクトに励振信号を送り、それによって前記オブジェクトを付勢して電界を発生させるように前記スクリーン付近に配置された、励振配列をさらに備える請求項１ないし１３のいずれかの装置。
【請求項１５】
前記励振配列が、動的可変周波数、動的可変振幅、動的可変励振期間の少なくとも一つを有する前記励振信号を発生するように制御可能である請求項１４の装置。
【請求項１６】
個々のセンサ間の導電性の差、前記感知配列の電磁干渉の固定変化、個々のセンサ間の利得の差の少なくとも一つが符号化される補償データベースをさらに備える請求項１ないし１５のいずれかの装置。
【請求項１７】
前記オブジェクトの直前の移動のデータを格納し、前記オブジェクトの現在の位置決定の処理に前記データを使用するためのオブジェクト移動履歴配列をさらに備える請求項１ないし１６のいずれかの装置。 
【請求項１８】
前記オブジェクトが指数関数的に減衰する信号を発生し、デジタイザが、前記減衰信号に逆の指数関数的に立ち上がる信号を乗算し、それによって周波数サイドローブを相殺し、前記デジタイザの周波数分解能を高めるための信号乗算機能をさらに備える請求項１ないし１７のいずれかの装置。 
【請求項１９】
検出された時間領域信号を周波数領域信号に変換するための変換機能をさらに備える請求項１ないし１８のいずれかの装置。 
【請求項２０】
正面先端を有する外部スタイラス形筺体と、 
予め定められた共振周波数を有する共振器配列と、 
前記正面先端の近傍に電界集中を形成するために前記共振器配列がそれを跨いで結合される前記先端の間隙と、 
を備えたデジタイザ用の受動スタイラス。 
【請求項２１】
フェライトコイルをさらに備える請求項２０の受動スタイラス。
【請求項２２】
前記共振器が前記先端から離して配置され、導体を介してそれに結合される請求項２０又は２１の受動スタイラス。
【請求項２３】
前記共振器配列が前記予め定められた共振周波数を変更して前記スタイラスの様々なモード設定を示すことに寄与する、切替可能な構成部品をさらに備える請求項２０ないし２２のいずれかの受動スタイラス。
【請求項２４】
前記スタイラスの様々なモード設定に応じて、前記電界の検出可能な変動を達成するための変調器をさらに備える請求項２０ないし２３のいずれかの受動スタイラス。
【請求項２５】
前記正面先端とは離れた第二端に配置された背面先端を備え、前記背面先端まで導体配列が延在する請求項２０ないし２４のいずれかの受動スタイラス。
【請求項２６】
前記背面先端の近傍の形状が、前記正面先端の電界の形状とは異なり、それによって前記正面先端と前記背面先端との間に検出可能な相違が提供される請求項２５の受動スタイラス。
【請求項２７】
前記共振器配列が前記予め定められた共振周波数を変更して前記スタイラスの様々なモード設定を示すことに寄与する、前記背面先端に関連付けられる切替可能な構成部品をさらに備える請求項２５又は２６の受動スタイラス。
【請求項２８】
前記検出可能な変化が、前記電界の前記間隙への結合の可変遅延である請求項２４の受動スタイラス。
【請求項２９】
前記正面先端に関連付けられる通常閉スイッチをさらに備える請求項２０ないし２８のいずれかの受動スタイラス。
【請求項３０】
電子的にリフレッシュ可能な表示スクリーンを有する電子装置とユーザ対話するためのデジタイザであって： 
オブジェクトからの電子信号を検出するために前記電子的にリフレッシュ可能な表示スクリーンに配置された透明な感知グリッドであって、複数の出力を有するグリッドと、 
各増幅器が前記感知グリッドの少なくとも二つの出力に接続されて前記少なくとも二つの出力の関数である出力信号を発生するように構成された、増幅器の配列と、 
を備えたデジタイザ。
【請求項３１】
電子的にリフレッシュ可能な表示スクリーンと電子的受動オブジェクトを介してユーザ対話するためのデジタイザであって： 
前記オブジェクトの電界を検出するために前記電子的にリフレッシュ可能な表示スクリーンに配置されたセンサであって、出力を有するセンサの透明な配列と、 
前記出力に関連付けられる増幅器の配列と、 前記受動オブジェクトが前記電界を生成または発生することを可能にする前記受動オブジェクトのための励振信号を発生するための励振配列と、 
を備えたデジタイザ。
【請求項３２】
電子的にリフレッシュ可能な表示スクリーンと電子的受動オブジェクトを介してユーザ対話するためのデジタイザであって： 
前記オブジェクトの電界を検出するために前記電子的にリフレッシュ可能な表示スクリーンに配置されたセンサであって、出力を有するセンサの透明な配列と、 
前記出力に関連付けられる増幅器の配列と、 
前記受動オブジェクトが前記電界を生成することを可能にするために前記受動オブジェクト用の励振信号を生成し発生するための励振配列と、 
を備え、 
増幅器の前記配列が前記励振信号の発生中に検出するのを防止するように、増幅器の前記配列が前記励振配列に関連してブランキング期間を制御可能であるデジタイザ。
【請求項３３】
電子的にリフレッシュ可能な表示スクリーンとオブジェクトを介してユーザ対話するためのデジタイザであって： 
前記オブジェクトの電界を検出するために前記電子的にリフレッシュ可能な表示スクリーンに配置されたセンサであって、出力を有するセンサの透明な配列と、 
前記出力に関連付けられる増幅器の配列であって、各増幅器が少なくとも二つのそれぞれ非隣接センサの出力に接続され、各増幅器毎の前記それぞれの非隣接センサは、異なるオブジェクト位置が増幅器の異なる組合せに出力を生成し、それによって異なる増幅器の組合せが個々のセンサに復号されることを可能にするように構成された増幅器の配列と、 
を備えたデジタイザ。
【請求項３４】
電子的にリフレッシュ可能な表示スクリーンと一緒にオブジェクトの位置決定を介してユーザ対話を行なうための装置であって、前記オブジェクトが受動電磁スタイラスであり、前記スクリーンが透明な感知配列に重ねられ、前期透明な感知配列が電界を検出するように構成された装置。
【請求項３５】
受動電磁スタイラスが前記電界を生成することを可能にするために前記受動電磁スタイラス用の励振信号を生成し発生するための励振配列をさらに備える請求項３４の装置。
【請求項３６】
前記透明な感知配列が少なくとも一つの有機導電箔を含む請求項３４又は３５の装置。
【請求項３７】
前記透明な感知配列が格子状の直線導体を含む請求項３４ないし３６のいずれかの装置。